(57)【要約】      （修正有）【課題】下側にＬＥＤ素子が付いた強制空冷方式のＬＥＤランプの基本構造を提供する。【解決手段】ＬＥＤランプは、空冷ファン１８を覆う筐体と、筐体の下側に隙間を空けて位置し、放熱フィンを覆う放熱フィンガードと、放熱フィンの下側に固着され、下面側にＬＥＤ素子が実装されたＬＥＤ基板とを備える。空冷ファン１８により、冷却流が、筐体と放熱フィンガードとの隙間に形成された冷吸気口３４から吸い込まれ、放熱フィンガードの中央部に形成された開口を通して放熱フィンに向かって圧送されて熱交換し、放熱フィンガードの下側に形成された排気口３６から下方に向かって圧送される。【選択図】図４
2016143573.tif 000002
【特許請求の範囲】
【請求項１】
空冷ファンを覆う筐体と、
前記筐体の下側に隙間を空けて位置し、放熱フィンを覆う放熱フィンガードと、
前記放熱フィンの下側に固着され、下面側にＬＥＤ素子が実装されたＬＥＤ基板とを備え、
前記空冷ファンにより、冷却流が、前記筐体と前記放熱フィンガードとの隙間に形成された冷吸気口から吸い込まれ、該放熱フィンガードの中央部に形成された開口を通して前記放熱フィンに向かって圧送されて熱交換し、該放熱フィンガードの下側に形成された排気口から下方に向かって圧送される、ＬＥＤランプ。
【請求項２】
ＬＥＤを搭載したＬＥＤ基板と、
前記ＬＥＤ基板の裏面に形成された放熱フィンと、
前記放熱フィンを覆う放熱フィンガードと、
前記放熱フィンの上側に設置され放熱フィン側に送風する空冷ファンとを備え、
前記放熱フィンガードは、前記ＬＥＤ基板および前記放熱フィンよりも外側まで形成され、前記空冷ファンから送風された空気を下方に向けて排気する、ＬＥＤランプ。
【請求項３】
請求項１又は２に記載のＬＥＤランプにおいて、
ランプ軸線を含む面を切断面としたとき、前記放熱フィンガードは、前記ＬＥＤ基板よりも下側まで形成されている、ＬＥＤランプ。
【請求項４】
請求項１〜３のいずれか一項記載のＬＥＤランプにおいて、
前記放熱フィンと前記放熱フィンガードとの間に隙間が設けられている、ＬＥＤランプ。
【請求項５】
請求項１〜４のいずれか一項記載のＬＥＤランプにおいて、
前記放熱フィンは、ランプ軸線から半径方向外方に向かって形成された多数の縦型フィンを有している、ＬＥＤランプ。
【請求項６】
請求項１〜４のいずれか一項記載のＬＥＤランプにおいて、
前記熱フィンは、複数列が整列した縦型フィンを有している、ＬＥＤランプ。
【請求項７】
請求項２〜６のいずれか一項記載のＬＥＤランプにおいて、
空冷ファンの上側に口金が接続された筐体を有し、
前記筐体には前記空冷ファンに空気を取り込むための吸気口が形成され、該吸気口は空冷ファンの周囲に位置している、ＬＥＤランプ。
【請求項８】
請求項１〜７のいずれか一項記載のＬＥＤランプにおいて、
前記筐体の口金側に回路部品が設置されている、ＬＥＤランプ。
【請求項９】
請求項１〜８のいずれか一項記載のＬＥＤランプをセード内に設置したＬＥＤ照明器具。
【請求項１０】
請求項９記載のＬＥＤ照明器具において、
前記セードは、放電灯用反射セードである、ＬＥＤ照明器具。
【発明の詳細な説明】
【技術分野】
【０００１】
本発明は、ＬＥＤランプ及びその照明器具に関する。更に具体的には、本発明は、空冷ファンを利用した強制空冷方式のＬＥＤランプ及びその照明器具に関する。
【背景技術】
【０００２】
ＬＥＤ素子は、半導体素子であり、半導体接合部の温度と素子寿命に密接な関係にある。即ち、ＬＥＤランプでは、ＬＥＤ素子の温度が高いとランプ寿命が短くなり、ランプ照度も劣化する。このため、ＬＥＤランプは、適切に冷却することが重要である。更に、例えば、１００Ｗ以上の光束が大きいＬＥＤランプの場合、発熱量が大きいため、自然冷却方式では放熱部材が大きくなってしまう。このため、強制空冷方式を採用することが好ましい。
【０００３】
また、ＬＥＤランプは、従来の放電灯に比較して消費電力が著しく少ないため、可能な限り早期に採用することが望ましい。
【先行技術文献】
【特許文献】
【０００４】
【特許文献１】特開2012-113846「ＬＥＤ照明装置」（公開日：2012.6.14）出願人：扶桑電機工業株式会社
【特許文献２】特開2012-199181「照明装置及び照明装置用送風装置」（公開日：2012.10.18）出願人：パナソニック株式会社（特許5062342）
【特許文献３】特開2012-243772「照明装置」（公開日：2012.12.10）出願人：エルジー  イノテック  カンパニー  リミテッド
【特許文献４】特開2012-226960「照明器具」（公開日：2012.11.15）出願人：パナソニック株式会社
【発明の概要】
【発明が解決しようとする課題】
【０００５】
下面側にＬＥＤ素子が付いた強制空冷方式のＬＥＤランプの基本構造を設計する必要があった。屋外で強制空冷方式のＬＥＤ照明器具を使用する場合、空冷ファンが吸い込んだほこりが器具内に入り込み冷却関連部品に付着して、冷却効率を落とすおそれがある。従って、ほこりの付着を減少させるため、ＬＥＤランプ内の適切なエアーフロー（冷却流の流れ）を設計することが重要である。
【０００６】
更に、既存の照明設備を大幅に変更すること無く、早期にＬＥＤ照明器具を実現したいとの需要が有る。
【０００７】
そこで、本発明は、下面側にＬＥＤ素子が付いた強制空冷方式のＬＥＤランプの基本構造を提供することを目的とする。
【０００８】
更に、本発明は、ほこりの付着が少ないエアーフローを実現した新規な強制空冷方式のＬＥＤランプを提供することを目的とする。
【０００９】
更に、本発明は、既存の照明設備を大幅に変更すること無く実現し得る新規なＬＥＤ照明器具を提供することを目的とする。
【課題を解決するための手段】
【００１０】
上記目的に鑑みて、本発明に係るＬＥＤランプは、空冷ファンを覆う筐体と、前記筐体の下側に隙間を空けて位置し、放熱フィンを覆う放熱フィンガードと、前記放熱フィンの下側に固着され、下面側にＬＥＤ素子が実装されたＬＥＤ基板とを備え、前記空冷ファンにより、冷却流が、前記筐体と前記放熱フィンガードとの隙間に形成された冷吸気口から吸い込まれ、該放熱フィンガードの中央部に形成された開口を通して前記放熱フィンに向かって圧送されて熱交換し、該放熱フィンガードの下側に形成された排気口から下方に向かって圧送される。
【００１１】
更に、本発明に係るＬＥＤランプは、ＬＥＤを搭載したＬＥＤ基板と、前記ＬＥＤ基板の裏面に形成された放熱フィンと、前記放熱フィンを覆う放熱フィンガードと、前記放熱フィンの上側に設置され放熱フィン側に送風する空冷ファンとを備え、前記放熱フィンガードは、前記ＬＥＤ基板および前記放熱フィンよりも外側まで形成され、前記空冷ファンから送風された空気を下方に向けて排気する。
【００１２】
更に、上記ＬＥＤランプでは、ランプ軸線を含む面を切断面としたとき、前記放熱フィンガードは、前記ＬＥＤ基板よりも下側まで形成されていてもよい。
【００１３】
更に、上記ＬＥＤランプでは、前記放熱フィンと前記放熱フィンガードとの間に隙間が設けられていてもよい。
【００１４】
更に、上記ＬＥＤランプでは、前記放熱フィンは、ランプ軸線から半径方向外方に向かって形成された多数の縦型フィンを有していてもよい。
【００１５】
更に、上記ＬＥＤランプでは、前記熱フィンは、複数列が整列した縦型フィンを有していてもよい。
【００１６】
更に、上記ＬＥＤランプでは、空冷ファンの上側に口金が接続された筐体を有し、前記筐体には前記空冷ファンに空気を取り込むための吸気口が形成され、該吸気口は空冷ファンの周囲に位置していてもよい。
【００１７】
更に、上記ＬＥＤランプでは、前記筐体の口金側に回路部品が設置されていてもよい。
【００１８】
更に、本発明に係るＬＥＤ照明器具は、上記ＬＥＤランプのいずれかをセード内に設置したＬＥＤ照明器具である。
【００１９】
更に、上記ＬＥＤランプ照明器具では、前記セードは、放電灯用反射セードであってよい。
【発明の効果】
【００２０】
本発明によれば、下面側にＬＥＤ素子が付いた強制空冷方式のＬＥＤランプの基本構造を提供することが出来る。
【００２１】
更に、本発明によれば、ほこりの付着が少ないエアーフローを実現した新規な強制空冷方式のＬＥＤランプを提供することが出来る。
【００２２】
更に、本発明によれば、既存の照明設備を大幅に変更すること無く実現し得る新規なＬＥＤランプを提供することが出来る。
【図面の簡単な説明】
【００２３】
【図１Ａ】図１Ａは、第１実施形態に係るＬＥＤランプ全体を示す斜視図である。
【図１Ｂ】図１Ｂは、図１Ａに示すＬＥＤランプの側面図である。
【図１Ｃ】図１Ｃは、図１Ａに示すＬＥＤランプの平面図である。
【図１Ｄ】図１Ｄは、図１Ａに示すＬＥＤランプの底面図である。
【図２】図２は、図１Ａ〜図１Ｄに示すＬＥＤランプの各構成部品を説明するための分解斜視図である。
【図３Ａ】図３Ａは、従来の放電灯照明器具を示す図である。
【図３Ｂ】図３Ｂは、図３Ａに示す放電灯用セードに、図１Ａ〜図１Ｄに示すＬＥＤランプを取り付けたＬＥＤ照明器具の断面図である。
【図４】図４は、図３Ｂに示すＬＥＤ照明器具の冷却流の流れを説明する図である。
【図５Ａ】図５Ａは、図２に示す分解斜視図に示す空冷ファン、放熱フィンガード及び放熱フィンの関係を説明する図である。
【図５Ｂ】図５Ｂは、図５Ａに示す空冷ファン、放熱フィンガード及び放熱フィンを組み立てた後、ランプ軸線を含む面で切断した断面図であり、特に放熱フィンの形状を説明する図である。
【図５Ｃ】図５Ｃは、図５Ｂと同様の断面図であり、別の放熱フィンの形状を説明する図である。
【図６】図６は、第２実施形態に係るＬＥＤランプの各構成部品を説明するための分解斜視図である。
【図７】図７は、第１及び第２実施形態の利点及び特徴を説明する図である。
【発明を実施するための形態】
【００２４】
以下、本発明に係るＬＥＤランプ及びその照明器具の実施形態に関し、添付の図面を参照しながら詳細に説明する。なお、図中、同じ要素に対しては、同じ参照符号を付して重複する説明を省略している。
【００２５】
［第１実施形態］
（ＬＥＤランプ）
図１Ａは、第１実施形態に係るＬＥＤランプ全体を示す斜視図であり、図１Ｂはその側面図であり、図１Ｃは平面図であり、図１Ｄは底面図である。
【００２６】
図１Ａ〜図１Ｄに示すように、ＬＥＤランプ１０は、概略的には、円錐形状の筐体１６−１と、その上部に形成されたＥ型の口金１２と、その下部に取り付けられた空冷ファン１８と、放熱フィンガード（「冷却流分流ガイド」ともいう。）２０−１とを備えている。
【００２７】
筐体１６−１に対して、空冷ファン１８及び放熱フィンガード２０−１が、符号１７で示す４カ所でネジ止めされている。図１Ｃ及び１Ｄに示すように、放熱フィンガード２０−１の円形底面にはグローブ２６が配置されている。
【００２８】
図１Ａ〜図１Ｄには現れないが、ＬＥＤランプ１０は、放熱フィンガード２０−１の内部に、円形のＬＥＤ基板と、ＬＥＤ基板の上面に固着された放熱フィンとを備えている。
【００２９】
なお、実施形態によって要素の形状等が異なる場合、参照符号に添え字を付して表すこととする。例えば、要素２０は、包括的には参照符号２０と表し、特に第１実施形態に限定するときは参照符号２０−１と表している。
【００３０】
図４に関連して後で詳しく説明するが、図１Ｂに示すように、比較的冷たい冷却流をランプ１０に吸い込む吸気口３４が、筐体１６−１と放熱フィンガード２０−１との隙間に形成されている。比較的暖かい冷却流を排出する排気口３６が、放熱フィンガード２０−１とグローブ２６との隙間に形成されている。
【００３１】
（構成部品）
ＬＥＤランプ１０を形成する各構成要素について説明する。図２は、図１Ａ〜１Ｄに示すＬＥＤランプの各構成部品を説明するための分解斜視図である。分かり易くするため、構成部品に対して上から順に（Ａ）〜（Ｈ）の参照符号を付して説明する。
【００３２】
(A)：ねじ込み方式のＥ型口金１２である。例えば、大型電球用のＥ３９が使用されている。
【００３３】
(B)：口金１２と筐体１６−１とを接続する連結部品である。
【００３４】
(C)：円錐形状の筐体１６−１である。図示していないが、筐体１６−１の内部空間に、空冷ファン駆動用の回路部品１９が収納されている。この回路部品は、ＬＥＤ用電源から分流して電圧を下げるための回路部品である。
【００３５】
(D)：空冷ファン１８である。本実施形態では、四角形状のケース内にφ90の羽根が5〜7枚を有する軸流空冷ファンを採用している。
【００３６】
(E)：平らな底部を持つお椀を伏せた形状の放熱フィンガード２０−１である。ＬＥＤ照明器具を屋外で採用した場合、ほこりが放熱フィンに付着すると、その放熱効果が低下する。そこで、放熱フィンガード２０−１を設けて、埃がかからないように放熱フィン２２−１の全体を覆っている。
底部中央に開口が形成され、空冷ファン１８によって冷却流が放熱フィンガード内に圧送され、放熱フィン２２−１の間を通り抜けて熱交換する。更に、放熱フィンガード２０−１は、後で図４に関連して説明するように、比較的冷たい吸気流と比較的暖かい排気流とが混じり合わないように分流する機能を奏している。そのため、「冷却流分流ガイド」とも呼ばれる。分流機能を確実にするため、後で図７に関連して説明するように、下端部を長く延ばして形成されている。
【００３７】
(F)：放熱フィン２２−１である。放熱フィン２２−１は、円盤状部材の上に、放射状に配置された多数の縦型フィンが形成された構造となっている。放熱フィンは、伝熱特性の良いアルミニウム、鉄、銅などの金属材料から形成されている。
【００３８】
(G)：ＬＥＤ基板２４である。ＬＥＤ基板２４は、上面に放熱フィン２２−１を固着してＬＥＤ素子（図示せず。）の熱を放熱している。下面には、複数個のＬＥＤ素子（図示せず。）を実装している。従って、ＬＥＤランプ１０は、図で見て下方に向かって発光される。複数個のＬＥＤ素子は、局部的に高温になることを避けるため、基板上に均等に配置されることが好ましい。
【００３９】
(H)：グローブ２６である。グローブ２６は、ＬＥＤ光源から出る光を制御すると共に、ＬＥＤ光源を外部から保護するために設けられた光透過性のカバーである。グローブ２６は、ポリカーボネート樹脂又はアクリル樹脂から形成される。
【００４０】
［ＬＥＤランプ照明器具］
上述したＬＥＤランプ１０を使ったＬＥＤ照明器具について説明する。
【００４１】
先ず、図３Ａは、既存の放電灯照明器具１００であり、符号２８は、放電灯用セードを示している。放電灯用セード２８は、放電灯光源から出る光を制御するため使用れる傘状のカバーである。多くの場合、内周面が反射面となっている反射セードとして形成されている。放電灯用反射セード２８の内部にあるソケット（図示せず。）には、Ｅ型口金を使って放電灯（図示せず。）が取り付けられ、放電灯照明器具１００として使用されている。
【００４２】
この放電灯照明器具１００から放電灯を取り外し、代わりに、上述したＬＥＤランプ１０を口金１２を使って取り付けて、ＬＥＤ照明器具とする。図３Ｂは、ＬＥＤ照明器具３０のランプ軸線を含む面で切断した断面図である。既存の放電灯照明器具を利用することにより、建造物に対して新たな照明器具を施工配置すること無く、ＬＥＤ照明器具３０を実現することができる。勿論、セード２８は、放電灯用セードに限定されず、ＬＥＤランプ用に新たに製造したものであってもよい。
【００４３】
(冷却流)
図４は、図３Ｂに示すＬＥＤ照明器具の冷却流の流れを説明する図である。分かり易くするため、冷却流の上流から下流にかけて順に（ａ）〜（ｇ）の参照符号を付して順に説明する。
【００４４】
(a)比較的冷たい冷却流の吸気流である。空冷ファン１８が駆動して吸引作用が発生すると、周囲の比較的冷たい空気が吸い寄せられる。
【００４５】
(b)セード２８に沿って、吸気口３４に向かう冷却流である。
【００４６】
(c)筐体１６−１と放熱フィンガード２０−１との隙間に形成された吸気口３４に向かう冷却流である。
【００４７】
(d)筐体１６−１内で反転して、空冷ファン１８に向かう冷却流である。筐体内には、回路部品１９（図２の(C)参照）が配置されていて、吸気口から取り込まれた比較的冷たい冷却流は、回路部品を冷却した後反転して、空冷ファン１８に吸引される。
【００４８】
(e)空冷ファン１８により圧送され、放熱フィンガード２０−１の中央部の開口から放熱フィン２２−１に衝突して熱交換して比較的暖かくなった冷却流である。この熱交換により、放熱フィン２２−１の熱は奪われ、放熱フィンに固着されているＬＥＤ基板２４が冷やされる。放熱フィン２２−１は、円盤状部材の上に、放射状に配置された多数の縦型フィンから成るので、冷却流は、円盤状部材に衝突して９０度向きを変え縦型フィンの間を半径方向外向きに送られる。
【００４９】
(f)冷却流分流ガイド２０−１によって９０度向きを変えられ、冷却流分流ガイド２０−１の内周面に沿って送られ、排気口３６から排出される比較的暖かい排気流である。
【００５０】
(g)冷却流分流ガイド２０−１によって下方に向かって進む比較的暖かい排気流である。比較的暖かい排気流は、空冷ファンにより強制的に下向きに連続して排気される。下向きに連続して排気されるため、この暖かい排気流が、再びＬＥＤ照明器具に取り込まれることはほとんど無い。
【００５１】
(ほこりの付着が少ないエアーフロー)
このＬＥＤ照明器具は、屋外で使用しても、冷却関連部品に対してほこりが付着しにくい適切なエアーフローとなっている。
【００５２】
図５Ａは、図２の分解斜視図に示す空冷ファン１８、放熱フィンガード２０−１及び放熱フィン２２−１の関係を説明する図である。空冷ファン１８は、放熱フィンガード２０−１の上に、中央開口部２０−１ａに整合するように取り付けられる。放熱フィンガード２０−１は、放熱フィン２２−１を覆うように取り付けられる。
【００５３】
図５Ｂは、図５Ａに示す空冷ファン、放熱フィンガード及び放熱フィンを組み立てた後、ランプ軸線を含む面で切断した断面図である。空冷ファン１８のハブ部１８ａから延びる羽根１８ｂ（細部は図示せず。）が回転し、冷却流（ｅ）を放熱フィンガード２０−１の中央開口２０−１ａを通して放熱フィンガード内部に在る放熱フィン２２−１に向けて圧送する。
【００５４】
放熱フィン２２−１は、円盤状部材２２ｄの上に、放射状に配置された多数の縦型フィンから形成されている。縦型フィンは、内側フィン２２−１ａと外側フィン２２−１ｂから成る。圧送された冷却流は、円盤状部材２２ｄに衝突して方向を変え、半径方向外向きに向かう。比較的大きめのほこりは、内側フィン２２−１ａと外側フィン２２−１ｂの間に隙間が有るため、フィン列に捕捉されるおそれは少ない。更に、放熱フィンガード２０−１とフィン２２−１ａ，２２−１ｂとの間に十分な隙間が有り、ここを通り抜けて排出口に向かうため、フィンに付着するおそれは少ない。即ち、放熱フィンに埃が堆積しにくい構造であり、冷却効果の低下を防止している。
【００５５】
図５Ｃは、別の放熱フィンの形状を説明する図５Ｂと同様の断面図である。ここでは、比較的背が低い内側フィン部分２２−１ａと比較的背が高い外側フィン部分２２−１ｂとの間に隙間は無く、各フィンが半径方向に一体に形成されている。両者をつなぐ部分２２−１ｃは、垂直に変化する段差ではなく、徐々に高さが変化する傾斜になっている。従って、比較的大きめのほこりが入ったとしても、冷却流に押されてこの斜面に乗って上方に駆け上がり、放熱フィン２２−１と放熱フィンガード２０−１の間の隙間に導かれ、排出口に向かうため、フィンに付着するおそれは少ない。同様に、放熱フィンに埃が堆積しにくい構造であり、冷却効果の低下を防止している。
【００５６】
［第２実施形態］
図６は、第２実施形態に係るＬＥＤランプ４０の各構成部品を説明するための分解斜視図である。第１実施形態と比較して、第２実施形態は、放熱フィン２２−２の形状が異なる点で相違する。即ち、円盤状部材の上に形成された縦型フィンが、複数列に整列した構造となっている。従って、空冷ファン１８によって圧送された冷却流は、円盤状部材に衝突して方向を変え、右方向又は左方向に向かう。更に、筐体１６−２及び放熱フィンガード２０−２の形状は、放熱フィン２２−２の形状に対応して異なってもよい。
【００５７】
その他の各構成部品（Ａ）〜（Ｈ）は、図２の参照符号（Ａ）〜（Ｈ）と同じであるので、説明を省略する。
【００５８】
［本実施形態の利点及び効果］
図７は、第１及び第２実施形態の利点及び特徴を説明する図である。
(1)本実施形態によれば、下側にＬＥＤ素子が付いた強制空冷方式のＬＥＤランプの基本構造を提供することが出来る。即ち、この構造は、空冷ファン１８を覆う筐体１６と、筐体の下側に隙間を空けて位置し、中央部に空冷ファンからの冷却流を導入する開口２０ａが形成された、放熱フィンを覆う放熱フィンガード２０と、放熱フィンの下側に固着され、下面側にＬＥＤ素子（図示せず。）が実装されたＬＥＤ基板２４とを備え、筐体１６と放熱フィンガード２０との隙間に冷気流の吸気口３４が形成され、放熱フィンガード２０の下側に冷気流の排気口３６が形成されている。
【００５９】
(2)実施形態によれば、吸気口３４から流入する比較的冷たい吸気流（ｄ）と、排気口３６から排出される比較的暖かい排気流（ｅ），（ｆ）とは、冷却流分流ガイド２０により分流されているため、混じることは殆ど無い。一旦暖まった排気流が、比較的冷たい吸気流に混じって冷却流の温度を上げることが無いため、効率的な冷却が可能となる。
【００６０】
(3)各要素の寸法は、次の通りであることが好ましい。
ランプ軸線方向の長さを、筐体１６の下端部を起点として、吸気口３４下端部までをＬ３４、放熱フィンガード下端部までをＬ２０、放熱フィン２２下端部までをＬ２２、ＬＥＤ基板２４下端部までをＬ２４とすると、次の関係になる。
排気流（ｆ）が吸気流（ｄ）に混流しないようにするため、Ｌ２０＞Ｌ３４であることが好ましい。
高温の放熱フィン２２は、放熱フィンガード２０に覆われて、放熱フィン近傍の空気が吸気流（ｄ）に混流しないようにするため、Ｌ２０＞Ｌ２２であることが好ましい。
高温のＬＥＤ基板２４は、放熱フィンガード２０に覆われて、ＬＥＤ基板近傍の空気が吸気流（ｄ）に混流しないようにするため、Ｌ２０＞Ｌ２４であることが好ましい。
【００６１】
(4)本実施形態によれば、独特の放熱フィンを採用することにより、ほこりの付着が少ないエアーフローを実現することができる。
【００６２】
(5)本実施形態によれば、ＬＥＤランプ１０，３０は、Ｅ型口金１２を備えているため、既存の放電灯照明器具１００から放電灯を取り外し、代わりに、ＬＥＤランプを口金１２を使って取り付けて、ＬＥＤ照明器具にすることが出来る。既存の放電灯照明設備を変更すること無く、ＬＥＤ照明器具を早期に実現することが出来る。
【００６３】
(6)本実施形態によれば、吸気口３４の最小口径Ｄ３４は、排気口３６の最小口径Ｄ３６より、大きい方が好ましい（Ｄ３４＞Ｄ３６）。空冷ファン１８により駆動された冷却流が、吸気口３４から排気口３６に通じる単一の冷却流路を流れている。吸気口の最小口径Ｄ３４が比較的大きいと、周囲の比較的冷たい空気（図４に参照符号(a)で示す。）を比較的遅い速度で吸い込む。一方、排気口３６の最小口径Ｄ３６が比較的小さいと、暖かい排気流を比較的早い速度で圧送して、遠方に飛ばすことが出来る。これにより、冷却流の吸気エリアと排気エリアとは距離的に離れ、混じり合うことは殆ど無い。
【００６４】
［まとめ］
以上、本発明に係るＬＥＤランプ及びその照明器具の実施形態に関して説明したが、これらは本発明を理解するための例示であって、本発明の範囲を何ら限定するものではない。当業者が容易になし得る、これらに対する追加、削除、変更、改良等は、本発明の範囲内である。本発明の技術的範囲は、添付の特許請求の範囲の記載によって定まる。
【符号の説明】
【００６５】
１０：ＬＥＤランプ、  １２：Ｅ型口金，口金、  １６，１６−１，１６−２：筐体、  １７：ネジ止め箇所、  １８：空冷ファン、  １８ａ：ハブ部、  １８ｂ：羽根、  １９：回路部品、  ２０，２０−１，２０−２：放熱フィンガード，冷却流分流ガイド、  ２０−１ａ：開口，中央開口部、  ２２，２２−１，２２−２：放熱フィン、  ２２−１ａ：内側フィン、  ２２−１ｂ：外側フィン、  ２２−１ｃ：接続部分、  ２２−１ｆ：縦型フィン、  ２４：ＬＥＤ基板、  ２６：グローブ、  ２８：セード，放電灯用セード，放電灯用反射セード、  ３０：ＬＥＤ照明器具、  ３２：ソケット、  ３４：吸気口、  ３６：排気口、  ４０：ＬＥＤランプ、  １００：放電灯照明器具
【図１Ａ】
2016143573.tif 000003
【図１Ｂ】
2016143573.tif 000004
【図１Ｃ】
2016143573.tif 000005
【図１Ｄ】
2016143573.tif 000006
【図２】
2016143573.tif 000007
【図３Ａ】
2016143573.tif 000008
【図３Ｂ】
2016143573.tif 000009
【図４】
2016143573.tif 000010
【図５Ａ】
2016143573.tif 000011
【図５Ｂ】
2016143573.tif 000012
【図５Ｃ】
2016143573.tif 000013
【図６】
2016143573.tif 000014
【図７】
2016143573.tif 000015